(57)【要約】      （修正有）【課題】軽量で、分解・組み立て可能で、鋭利な部位を有する物品を収納した際でも収納・取り出し性に優れ、高い耐久性を有する組み立て式コンテナを提供する。【解決手段】側壁１０と、側壁の一端縁部を嵌合させる嵌合溝を有する蓋体２０と、側壁の他端縁部を嵌合させる嵌合溝３４を有する基台３０と、側壁の両端縁部に設けられた複数の貫通孔４１と、蓋体又は基台の嵌合溝に配され、組み立て時には貫通孔に挿入されて側壁を係止する保持具４２とからなるロック部とコンテナの内側に面する側壁の内面側に配され、側壁の内面を保護する、組み立て式コンテナ用保護部材とを具備して組み立て式コンテナを構成する。さらに、側壁の一端縁部を蓋体の嵌合溝に嵌合させ、側壁の他端縁部を該基台の嵌合溝に嵌合させて組み立てることができ、嵌合溝に嵌合された側壁の両端縁部を外して分解することができる。【選択図】図１
0003161892.tif 000002
【実用新案登録請求の範囲】
【請求項１】
側壁と、
該側壁の一端縁部を嵌合させる嵌合溝を有する蓋体と、
該側壁の他端縁部を嵌合させる嵌合溝を有する基台と、
該側壁の両端縁部に設けられた複数の貫通孔、及び該蓋体又は該基台の嵌合溝に配され、組み立て時には該貫通孔に挿入されて該側壁を係止する保持具からなるロック部と
を具備し、
該側壁の一端縁部を該蓋体の該嵌合溝に嵌合させると共に、該側壁の他端縁部を該基台の該嵌合溝に嵌合させることにより組み立てることができ、該嵌合溝に嵌合された側壁の両端縁部を外すことにより分解することができる組み立て式コンテナに用いられる保護部材であって、
コンテナの内側に面する、側壁の内面側に配され、該内面を保護する、組み立て式コンテナ用保護部材。
【請求項２】
前記保護部材は、１枚の矩形状の板体からなり、側壁の内面に当接する保護部と、板体の１の側縁部分をＬ字状に折り返して形成された、側壁の１端縁部に係合される係止部とを具備する
ことを特徴とする請求項１記載の組み立て式コンテナ用保護部材。
【請求項３】
前記係止部において前記側壁の外面に位置する部位は、前記側壁の上端から前記側壁の高さの１〜５％の長さを有する
ことを特徴とする請求項２に記載の組み立て式コンテナ用保護部材。
【請求項４】
前記側壁は４つの壁板からなり、前記貫通孔は少なくとも一つの該壁板の左右両側に２つ設けられており、前記保護部材は、２つの前記貫通孔の間に配されている
ことを特徴とする請求項１〜３のいずれかに記載の組み立て式コンテナ用保護部材。
【請求項５】
前記貫通孔と前記保護部材との間隔は、３〜６ｃｍである
ことを特徴とする請求項４に記載の組み立て式コンテナ用保護部材。
【請求項６】
側壁は、紙又はプラスチック製の段ボールからなる
ことを特徴とする請求項１〜５のいずれかに記載の組み立て式コンテナ用保護部材。
【請求項７】
前記保護部材の形成材料は、鉄板又はステンレス材料であり、厚さは、０．４〜１ｍｍである
ことを特徴とする請求項１〜６のいずれかに記載の組み立て式コンテナ用保護部材。
【請求項８】
側壁と、
該側壁の一端縁部を嵌合させる嵌合溝を有する蓋体と、
該側壁の他端縁部を嵌合させる嵌合溝を有する基台と、
該側壁の両端縁部に設けられた複数の貫通孔と、該蓋体又は該基台の嵌合溝に配され、組み立て時には該貫通孔に挿入されて該側壁を係止する保持具とからなるロック部と
を具備し、
該側壁の一端縁部を該蓋体の該嵌合溝に嵌合させると共に、該側壁の他端縁部を該基台の該嵌合溝に嵌合させることにより組み立てることができ、該嵌合溝に嵌合された側壁の両端縁部を外すことにより分解することができ、
請求項１〜７のいずれかに記載の保護部材を有することを特徴とする組み立て式コンテナ。
【請求項９】
前記側壁は、４つの壁板からなり、コンテナを組み立てた際に直方体状又は立方体状となるようになされていることを特徴とする請求項８記載の組み立て式コンテナ。
【考案の詳細な説明】
【技術分野】
【０００１】
本考案は、コンテナの内面を保護する組み立て式コンテナ用保護部材、並びに、軽量で、分解・組み立て可能であり、且つ有刺鉄線等の鋭利な部位を有する物品を収納した際でも収納・取り出し性に優れ、高い耐久性を有する組み立て式コンテナに関する。
【背景技術】
【０００２】
基台、蓋体及び両者により狭持・固定される側壁からなる組み立て式コンテナは、種々提案されており、軽量で取り扱いが容易であるため側壁がプラスチックや紙製の段ボールからなるものを用いたものが種々提案されている（たとえば特許文献１又は２等）。
【先行技術文献】
【特許文献】
【０００３】
【特許文献１】特開２００９−１９６６８１号公報
【０００４】
【特許文献２】特開２０１０−７６７７５号公報
【考案の概要】
【考案が解決しようとする課題】
【０００５】
しかし、従来提案されている組み立て式コンテナは、有刺鉄線等の鋭利な部位を有する内容物を収容する際に側壁が内容物によって破損するという問題があった。
要するに、従来提案されている組み立て式コンテナは、内容物によって耐久性が低下する場合があり、繰り返し使用することができなくなる場合があったため、内容物の種類によらずに耐久性に優れた組み立て式コンテナの開発が要望されているのが現状である。
【０００６】
従って、本考案は、軽量で、分解・組み立て可能であり、且つ有刺鉄線等の鋭利な部位を有する物品を収納した際でも収納・取り出し性に優れ、高い耐久性を有する組み立て式コンテナ及び該コンテナ用の保護部材を提供することを目的とする。
【課題を解決するための手段】
【０００７】
本考案は、
側壁と、
該側壁の一端縁部を嵌合させる嵌合溝を有する蓋体と、
該側壁の他端縁部を嵌合させる嵌合溝を有する基台と、
該側壁の両端縁部に設けられた複数の貫通孔、及び該蓋体又は該基台の嵌合溝に配され、組み立て時には該貫通孔に挿入されて該側壁を係止する保持具からなるロック部と
を具備し、
該側壁の一端縁部を該蓋体の該嵌合溝に嵌合させると共に、該側壁の他端縁部を該基台の該嵌合溝に嵌合させることにより組み立てることができ、該嵌合溝に嵌合された側壁の両端縁部を外すことにより分解することができる組み立て式コンテナに用いられる保護部材であって、
コンテナの内側に面する、側壁の内面側に配され、該内面を保護する、組み立て式コンテナ用保護部材を提供することにより前記目的を達成したものである。
【０００８】
さらに、本考案は以下の各保護部材を提供するものである。
前記保護部材は、１枚の矩形状の板体からなり、側壁の内面に当接する保護部と、板体の１の側縁部分をＬ字状に折り返して形成された、側壁の１端縁部に係合される係止部とを具備する
ことを特徴とする前記組み立て式コンテナ用保護部材。
前記係止部において前記側壁の外面に位置する部位は、前記側壁の上端から前記側壁の高さの１〜５％の長さを有する
ことを特徴とする前記組み立て式コンテナ用保護部材。
前記側壁は４つの壁板からなり、前記貫通孔は少なくとも一つの該壁板の左右両側に２つ設けられており、前記保護部材は、２つの前記貫通孔の間に配されている
ことを特徴とする前記組み立て式コンテナ用保護部材。
前記貫通孔と前記保護部材との間隔は、３〜６ｃｍである
ことを特徴とする前記組み立て式コンテナ用保護部材。
側壁は、紙又はプラスチック製の段ボールからなる
ことを特徴とする前記組み立て式コンテナ用保護部材。
前記保護部材の形成材料は、鉄板又はステンレス材料であり、厚さは、０．４〜１ｍｍである
ことを特徴とする前記組み立て式コンテナ用保護部材。
【０００９】
また、本考案は、
側壁と、
該側壁の一端縁部を嵌合させる嵌合溝を有する蓋体と、
該側壁の他端縁部を嵌合させる嵌合溝を有する基台と、
該側壁の両端縁部に設けられた複数の貫通孔と、該蓋体又は該基台の嵌合溝に配され、組み立て時には該貫通孔に挿入されて該側壁を係止する保持具とからなるロック部と
コンテナの内側に面する側壁の内面側に配され、側壁の内面を保護する、組み立て式コンテナ用保護部材と
を具備し、
該側壁の一端縁部を該蓋体の該嵌合溝に嵌合させると共に、該側壁の他端縁部を該基台の該嵌合溝に嵌合させることにより組み立てることができ、該嵌合溝に嵌合された側壁の両端縁部を外すことにより分解することができ、
前記保護部材を有することを特徴とする組み立て式コンテナを提供することにより前記目的を達成したものである。
また、本考案は、前記側壁が、４つの壁板からなり、コンテナを組み立てた際に直方体状又は立方体状となるようになされていることを特徴とする前記組み立て式コンテナを提供するものである。
【考案の効果】
【００１０】
本考案の組み立て式コンテナ用保護部材は、コンテナに有刺鉄線等の鋭利な部位を有する物品を収納した際でも、優れた収納・取り出し性、並びに高い耐久性をコンテナに付与することができるものである。
本考案の組み立て式コンテナは、軽量で、分解・組み立て可能であり、且つ有刺鉄線等の鋭利な部位を有する物品を収納した際でも収納・取り出し性に優れ、高い耐久性を有する組み立て式コンテナよりコンパクトに収容できると共に保冷・保温効果が高く、軽量で強度に優れスタック可能なものである。
【図面の簡単な説明】
【００１１】
【図１】図1は本考案の組み立て式コンテナの１実施形態を示す分解斜視図である。
【図２】図２は図１のII−II断面図である。
【図３】図３は図１のIII部視拡大図である。
【図４】図４（ａ）は、図１に示す組み立て式コンテナに用いられている本考案の保護部材を示す斜視図であり、図４（ｂ）はその一部拡大側面図である。
【図５】図５は図1に示す側壁を折りたたむ態様を示す概略図である。
【図６】図６は側壁を完全に折りたたんで蓋体と基台との間に収容してなる状態を示す斜視図である。
【符号の説明】
【００１２】
組み立て式コンテナ１；側壁１０；内面１０’；壁板１０ａ，１０ａ’；一端縁部１１；他端縁部１２；ダンボール材１４；保護部材１５；連設部１６；谷折部１７；蓋体２０；台部２１；中央台部２２；中空部２２ａ；外壁部２３；嵌合溝２４；基台３０；台部３１；中央台部３２；中空部３２ａ；外壁部３３；嵌合溝３４；ロック部４０；貫通孔４１；保持具４２
【考案を実施するための最良の形態】
【００１３】
以下、実施例及び比較例に基づき本考案をさらに具体的に説明するが、本考案はこれらに制限されるものではない。
【００１４】
図１及び２に示す本実施形態の組み立て式コンテナ１は、側壁１０と、側壁の一端縁部１１を嵌合させる嵌合溝２４を有する蓋体２０と、側壁１０の他端縁部１２を嵌合させる嵌合溝３４を有する基台３０と、側壁の両端縁部１１，１２に設けられた複数の貫通孔４１と、蓋体２０又は基台３０の嵌合溝２４，３４に配され、組み立て時には貫通孔４１に挿入されて側壁１０を係止する保持具４２とからなるロック部４０とを具備し、側壁１０の一端縁部１１を蓋２０体の嵌合溝２４に嵌合させると共に、側壁１０の他端縁部１２を基台３０の嵌合溝３４に嵌合させることにより組み立てることができ、嵌合溝２４，３４に嵌合された側壁１０の両端縁部１１，１２を外すことにより分解することができ、コンテナの内側に面する側壁１０の内面１０’側には側壁１０の内面１０’を保護する保護部材１５が配されている。
【００１５】
以下、本実施形態のコンテナについて詳述する。
側壁１０は、４つの壁板１０ａ，１０ａ’からなり、コンテナを組み立てた際に直方体状又は立方体状となるようになされているのが好ましく、本実施形態においては、全体で６面体を構成する。そして、側壁１０は、その壁面１０ａ、１０ａ’により、それぞれ平面長方形状の蓋体２０及び基台３０の間の４面を構成するように形成されているので、全体として直方体状となる。壁板１０ａは、その幅（図１における幅ｗと同義）が長く、壁板１０ａ’は壁板１０ａよりも幅が短くなっている。
側壁１０を構成する壁板１０ａ，１０ａ’は、それぞれ、図２に示すようにダンボール材１４を２枚貼り合わせて形成されており、４つの壁板１０ａ，１０ａ’は、切り込みを入れて折り曲げ自在になされた連設部１６を介して連設されている。
貫通孔４１は、壁板１０ａの左右両側に設けられており、壁板１０ａ’には設けられていない。すなわち、本実施形態においてロック部４０は、壁板１０ａにのみ設けられており、基台や蓋体にも壁板１０ａに対応する長手辺側にのみ設けられている。
ダンボール材１４の形成材料としては、紙やプラスチック等が挙げられ、本実施形態においては紙が用いられている。
【００１６】
本実施形態においては、各壁板１０ａ、１０ａ’はそれぞれ山折に折りたたみ可能に連設部１６を介して連設されている。更にそのうちの一の対向する２の壁板１０ａ’は、そのコンテナの周方向中央に直線状の谷折部１７が設けられており、谷折に（コンテナの内方に向けて）折りたたみ可能となされている。
【００１７】
蓋体２０及び基台３０は、それぞれ同様に構成されているので、基台３０について説明する。蓋体についても同様の部材には２０番台とした以外は同様の番号（たとえば、参照番号３１に対して参照番号２１）を付してある。
基台３０は、平面正方形状で中空部３２ａを有する中央台部３２、中央台部３２から延出され基台の外壁を構成する外壁部３３、及び中央台部３２上に正方形状の台座を固定して形成された台部３１とからなる。そして、台部３１と外壁部３３との間に側壁の他端縁部１２を嵌合させる嵌合溝３４が形成されている。また、側面には開口４５が設けられている。
また、蓋体２０及び基台３０の平面形状は、それぞれ壁面１０ａ、１０ａ’の大きさよりも若干大きくなされている。
【００１８】
また、側壁１０の両端縁部１１，１２には、複数の貫通孔４１が設けられている。そして、蓋体２０及び基台３０の各中空部２２ａ，３２ａには、断面Ｌ字状の保持具４２が弾性部材４３により嵌合溝２４，３４側に付勢されて設けられている。保持具４２の先端４２ａは嵌合溝２４，３４内に位置し、テーパー状の形状とされている。また、保持具４２の基端４２ｂは、その一部が蓋体２０及び基台３０に設けられた開口４４から外方に突出している。これらの構成により、使用時には保持具４２の先端４２ａが該貫通孔４１及び開口４５に挿入されて蓋体２０（及び基台３０）を係止するロック部４０が設けられている。
貫通孔を設ける位置は、コンテナ形状を良好に維持する観点から、各壁板の側縁までの距離ｄの壁板の幅ｗに対する割合（ｄ／ｗ、図１参照）を１５／１００〜３０／１００とするのが好ましい。
【００１９】
また、本実施形態においては、特に図示しないが、基台はその下部にキャスターを設けることができ、蓋体の上面には該キャスターを嵌め込み蓋体上に基台をスタックできるようにするキャスター収容溝を設けることができる。
【００２０】
本実施形態の組み立て式コンテナ１は、図１に示すように、側壁１０を平面正方形となるように組み立て、側壁１０の他端縁部１２を基台３０の嵌合溝３４に挿入し嵌合させる。この際、側壁１０の他端縁が保持具４２の先端４２ａを押し込むことにより保持具４２が図２の矢印Ｄ１方向に移動する。次いで側壁１０の挿入が進行し、先端４２ａが貫通孔４１に位置すると、弾性部材４３の付勢力により保持具４２が矢印Ｄ２方向に移動して貫通孔４１を開口４５貫通する。これをロック部４０の設けられている全ての嵌合溝３４について行うことにより、基台３０と側壁１０とを連結することができ、ここで、所定の内容物を収容し、更に蓋体２０についても同様の作業を行うことで６面体のコンテナが形成される。ロック部４０の作用により、コンテナの移動中に蓋体２０及び基台３０と側壁１０とが外れることがない。
そして、コンテナ１を分解する際には、保持具４２の基端４２ｂをコンテナ１の外方から矢印Ｄ１方向に引くことにより、ロックを外して、蓋体２０及び基台３０と側壁１０とを外すことにより分解できる。
【００２１】
そして、本実施形態の組み立て式コンテナ１は、図１に示す形態の保護部材１５を有する。
本実施形態の保護部材１５は、図３〜４に示すように、１枚の矩形状の板体からなり、側壁１０の内面１０’に当接する保護部１５ａと、板体の１の側縁部分をＬ字状に折り返して形成された、側壁１０の１端縁部に係合される係止部１５ｂとを具備する。
保護部材の壁板１０ａの内面１０’側における長さは、コンテナを組み立てたときに嵌合溝３４に嵌合されずに露出する部分を覆うことができる長さを有するのが好ましく、本実施形態においては保護部１５ａの先端が貫通孔４１とほぼ同じ高さ（壁板１０ａの高さ方向における位置）に位置するように形成されている。
【００２２】
図３に示すように、係止部１５ｂにおいて側壁１０の外面に位置する部位は、側壁の上端から前記側壁の高さの１〜５％の長さｈを有する。この範囲内の長さとすることにより、保護部材１５が側壁１０にしっかりと係合して使用中に外れることがなく、また、係止部１５ｂが使用中に他の物に引っかかったりすることがなくなり好ましい。
保護部材１５は、２つの前記貫通孔の間に配されており、貫通孔４１と保護部材１５との間隔ｄは、３〜６ｃｍであるのが、保護部材による側壁内面の保護効果とロック部による側壁の保持効果を維持する効果の両方を同時に満足する点で好ましい。
保護部材１５の形成材料としては、プラスチック、鉄、ステンレス、銅等種々材料を用いることができるが、鉄板又はステンレス材料が好ましく、本実施形態においては鉄板材料であり、厚さは、０．４〜１ｍｍとするのが好ましく、本実施形態においては１ｍｍである。保護部１５ａは側壁の内面側のほぼ全面を覆うように構成されている。このように構成した場合に、上記の範囲の厚さとすることにより、保護強度と嵌合させる際に操作性を低下させないようにすることとの両立を図ることができる。
【００２３】
上述のように構成された本実施形態の組み立て式コンテナ１は、壁面１０ａ、１０ａ’から構成される側壁１０を折りたたんで蓋体２０と基台３０との間に収容可能となされており、少なくとも１の壁面１０ａ’はコンテナの幅方向中央部に設けられている谷折部１７を有し、隣接する壁面１０ａ間に折りたたまれる。具体的には、本実施形態においては、図５に示すように、すべての保護部材１５を外した後、一の対向する２面１０ａ’が谷折りに折りたたまれて、他の対抗する２面１０ａの間に一の対向する２面１０ａ’が位置するように、側壁１０全体を折りたたむことができる。
そして、図６に示すように、折りたたまれた側壁１０を基台２０と蓋体３０との間に収容することで、コンパクトな収容形態とすることができる。そして、この収容形態では、平面形状が基台及び蓋体の平面形状に等しいので、複数種類の部材を収容できるような収容場所を確保する必要が無く、その結果、コンパクトに収容できる。
【００２４】
なお、本考案は上述の実施例に制限されるものではなく、本考案の趣旨を逸脱しない範囲で種々変更可能である。
たとえば、上述の例においてはすべての保護部材を外して折りたたんだ例を示して説明したが、谷折部１７が設けられている壁板１０ａ’のみ外して折りたたむこともできる。
また、直方体状でなく、蓋体及び基台の各辺の長さを同じにして立方体状とすることもできる。
【図１】
0003161892.tif 000003
【図２】
0003161892.tif 000004
【図３】
0003161892.tif 000005
【図４】
0003161892.tif 000006
【図５】
0003161892.tif 000007
【図６】
0003161892.tif 000008